(57)【要約】  コンパクトな構成であっても、所望の配光特性を有し高効率な照明が可能な照明装置を得るために、光源（点状光源２）と、該光源から出射される光を入射する入射部と、該入射部に入射された光を異なる二方向に分岐して導光する第一、第二光学経路と、分岐され導光された光を射出する第一、第二射出部とを備えて断面がＴ型とされる照明光学系を有し、異なる二方向を同時に照明する照明装置１Ａ〜１Ｋであって、第一、第二射出部から、第一反射部および第二反射部で反射された第一の光と、第一反射部を介さずに第二反射部で反射された第二の光とが合成された照明光をそれぞれ射出する構成とした。
2012105314.tif 000002
【特許請求の範囲】
【請求項１】
光源と、該光源から出射される光を入射する入射部と、該入射部に入射された光を異なる二方向に分岐して導光する第一、第二光学経路と、分岐され導光された光を射出する第一、第二射出部とを備えて断面がＴ型とされる照明光学系を有し、異なる二方向を同時に照明する照明装置であって、
前記照明光学系は、前記入射部に近接配置された第一反射部と、当該入射部に対向して配置される第二反射部とを備え、
前記第一、第二射出部から、前記第一反射部および前記第二反射部で反射された第一の光と、前記第一反射部を介さずに前記第二反射部で反射された第二の光とが合成された照明光をそれぞれ射出することを特徴とする照明装置。
【請求項２】
前記照明光学系は、前記第二反射部に対向する第三反射部を備え、この第三反射部が前記第二反射部から光を受けて再び前記第二反射部に向けて反射し、それから、前記射出部から射出することを特徴とする請求項１に記載の照明装置。
【請求項３】
前記光源から出射される光を、前記第一、第二射出部に向かう光に分岐する光束分岐部を設けたことを特徴とする請求項１または２に記載の照明装置。
【請求項４】
前記光束分岐部は、前記第二反射部の前記点状光源に対向する位置に配置され、略Ｖ型の凸反射面から構成されることを特徴とする請求項３に記載の照明装置。
【請求項５】
前記照明光学系は、前記光源から出射される光が入射する入射面と、前記第二反射部に沿う第二面と、前記射出部となる第三面とを有する導光体を備えていることを特徴とする請求項１から４のいずれかに記載の照明装置。
【請求項６】
前記入射面の前記光源に対向する位置に、略Ｖ型断面の屈折面を設けて光束分岐部を形成したことを特徴とする請求項５に記載の照明装置。
【請求項７】
前記第三面は、前記第二面に対して平行位置から１〜３０度傾斜しており、光源から離れるに従って第二面と第三面との間隔が徐々に狭くなっていることを特徴とする請求項５または６に記載の照明装置。
【請求項８】
前記第三面は、前記第二面に対して平行位置から５０〜８０度傾斜しており、光源から離れるに従って第二面と第三面との間隔が狭くなっていることを特徴とする請求項５または６に記載の照明装置。
【請求項９】
前記第二反射部は、前記射出部に向けて反射光を反射する部位に、入射した光を所定角度範囲に拡散しながら反射する拡散部を設けていることを特徴とする請求項１から８のいずれかに記載の照明装置。
【請求項１０】
前記第二面は、前記射出面に向けて反射光を反射する部位に、入射した光を所定角度範囲に拡散しながら反射する拡散部を設けていることを特徴とする請求項５から８のいずれかに記載の照明装置。
【請求項１１】
前記第二反射部は、入射した光を所定角度範囲に拡散しながら反射する傾斜面とされることを特徴とする請求項１から１０のいずれかに記載の照明装置。
【請求項１２】
前記照明光学系は、断面Ｔ型の長手方向に前記光源を所定間隔で複数並設し、この長手方向に沿って長寸の射出部を有することを特徴とする請求項１から１１のいずれかに記載の照明装置。
【請求項１３】
前記光源は点状光源であることを特徴とする請求項１から１２のいずれかに記載の照明装置。
【請求項１４】
前記点状光源はＬＥＤ光源からなることを特徴とする請求項１３に記載の照明装置。
【請求項１５】
前記ＬＥＤ光源は、前記入射面に形成した略Ｖ型断面のＶ溝部に配置されることを特徴とする請求項１４に記載の照明装置。
【請求項１６】
前記光源は、前記Ｔ型の断面に垂直な方向に延在する発光面を備える光源であることを特徴とする請求項１から１５のいずれかに記載の照明装置。
【請求項１７】
前記照明装置は板状体の先端部に装着され、当該板状体の両側をそれぞれ照明することを特徴とする請求項１から１６のいずれかに記載の照明装置。
【請求項１８】
前記板状体は棚板であって、該棚板の上下を同時に照明することを特徴とする請求項１７に記載の照明装置。
【発明の詳細な説明】
【技術分野】
【０００１】
本発明は、照明装置に関し、例えば、ショーケース等に配設され、ショーケースに陳列される商品の照明に好適な照明装置に関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。【０００３】
近年、発光効率の向上や発光量の増加と共に、寿命が長く消費電力が小さくて、環境にやさしいとされるＬＥＤ（Light  Emitting  Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。【０００４】
そのために、照明装置として、この白色ＬＥＤ光源を配設したＬＥＤ照明装置が用いられている。特に、ショーケースなどの陳列棚の照明装置として、消費電力が小さく、発熱も小さいＬＥＤ光源を用いることが模索されており、例えば、陳列室内を上方から照明するＬＥＤ照明を設けたショーケースが既に提案されている（例えば、特許文献１参照）。【０００５】
また、陳列棚の先端に設けられたプライスレール内にＬＥＤ光源を配設して、光源の手前側に設けた反射板を介して棚の上下を照射するとしたショーケースが既に提案されている（例えば、特許文献２参照）。
【先行技術文献】
【特許文献】
【０００６】
【特許文献１】特開２００８−２０６６６５号公報
【特許文献２】特開２０１０−７８２５１号公報
【発明の概要】
【発明が解決しようとする課題】
【０００７】
ところで、特許文献１に記載されたショーケースのように、棚の上部から下部に向けて照明する方法では、棚板の水平面照度値は大きくなるが垂直面照度値は小さくなり、その結果、消費者が商品選択を行う際に手がかりとなる商品の正面が比較的暗くなってしまう。また、上方からの照明によって影が生じてしまい、見たい商品パッケージが見え難くなってしまう問題がある。【０００８】
また、特許文献２に記載されたショーケースのように、一つのＬＥＤ光源で棚の上下を同時に照明する構成では、少ない光源数で効率よく照明できるため、ある程度の照度を確保しながら光源の部品点数を抑えることができコスト削減図ることができる。しかし、棚の手前側に設置した反射板からの反射光により、商品の照明を行っているため、光源から射出された光の向きを変えて商品を照明しているのみであり、積極的に照明光の指向性制御や配光制御を行うことができない。【０００９】
従って、牛乳パックや飲料ボトルなど背の高い商品を棚に陳列した際には、上側からの照明光も下側からの照明光も、綺麗な商標やロゴが印刷された商品中程当りに届き難くなり、消費者の視覚に訴えて購買意欲を喚起させる効果が小さくなる虞が生じる。【００１０】
また、広範囲を照明するために反射板を大きくすると、照明装置ユニットが大きくなってしまったり、厚みが厚くなってしまったりして、意匠性が悪化して問題となる。【００１１】
本発明は、上記の事情に鑑みてなされたものであって、コンパクトな構成であっても、所望の配光特性を有し高効率な照明が可能な照明装置を提供することを目的とする。
【課題を解決するための手段】
【００１２】
上記目的を達成するために本発明は、光源と、該光源から出射される光を入射する入射部と、該入射部に入射された光を異なる二方向に分岐して導光する第一、第二光学経路と、分岐され導光された光を射出する第一、第二射出部とを備えて断面がＴ型とされる照明光学系を有し、異なる二方向を同時に照明する照明装置であって、前記照明光学系は、前記入射部に近接配置された第一反射部と、当該入射部に対向して配置される第二反射部とを備え、前記第一、第二射出部から、前記第一反射部および前記第二反射部で反射された第一の光と、前記第一反射部を介さずに前記第二反射部で反射された第二の光とが合成された照明光をそれぞれ射出することを特徴としている。【００１３】
上記の構成によると、断面がＴ型形状の照明光学系を用いることで、入射部より入射され第一反射部で少なくとも１度反射した後第二反射部で少なくとも一度反射され第一、第二射出部へ導かれる光束と、入射部より入射され第一反射部で反射することなく第二反射部で反射され第一、第二射出部へ導かれる光束と、の二種類の光路を有する光束で照明光を構成することができ、所望の指向特性、配光特性を有する高効率な照明装置を実現することが可能となる。例えば、二つの光束の指向特性を重ねることにより、発散角の大きな光源を用いても、必要な領域のみを効率的に照明可能な照明装置を実現することができる。そのために、コンパクトな構成であっても、所望の配光特性を有し高効率な照明が可能な照明装置を得ることができる。【００１４】
また本発明は上記構成の照明装置において、前記照明光学系は、前記第二反射部に対向する第三反射部を備え、この第三反射部が前記第二反射部から光を受けて再び前記第二反射部に向けて反射し、それから、前記射出部から射出することを特徴としている。この構成によると、さらに光路長を長くすることができ、所望の部位を照明する位置に射出部を設けることが可能になる。そのために、必要な領域を効率的に照明可能な照明装置を実現することができる。【００１５】
また本発明は上記構成の照明装置において、前記光源から出射される光を、前記第一、第二射出部に向かう光に分岐する光束分岐部を設けたことを特徴としている。この構成によると、光源から射出された照明光を、略反対方向に向かう光路を有する第一射出部と第二射出部への照明光に効率的に分岐することができる。【００１６】
また本発明は上記構成の照明装置において、前記光束分岐部は、前記第二反射部の前記光源に対向する位置に配置され、略Ｖ型の凸反射面から構成されることを特徴としている。この構成によると、光源から射出され入射部から入射し、第一反射部または第三反射部で反射されることなく、直接第二反射部に到達する光を、Ｖ型の凸反射面で、第一射出部側および第二射出部側へ反射させることにより、特定方向を効率的に照明することができる。【００１７】
また本発明は上記構成の照明装置において、前記照明光学系は、前記光源から出射される光が入射する入射面と、前記第二反射部に沿う第二面と、前記射出部となる第三面とを有する導光体を備えていることを特徴としている。この構成によると、光路中に導光体を配設することにより、導光体の各面における屈折により照明光を制御可能となるので、より高性能で高効率の照明装置を実現できる。【００１８】
また本発明は上記構成の照明装置において、前記入射面の前記光源に対向する位置に、略Ｖ型断面の屈折面を設けて光束分岐部を形成したことを特徴としている。この構成によると、光源が射出する照明光を、直接受けて異なる二方向に分岐するので、それぞれの射出部に効率的に導光することができる。【００１９】
また本発明は上記構成の照明装置において、前記第三面は、前記第二面に対して平行位置から１〜３０度傾斜しており、光源から離れるに従って第二面と第三面との間隔が徐々に狭くなっていることを特徴としている。この構成によると、第三面の傾きを第二面に略平行で、且つ、光源から射出面先端に向かうに従って厚みが減少するような傾きを持たせることにより、射出面から射出する照明光を第二面に沿った角度で射出することができ、照明光学系の幅が狭くても広範囲を効率的に照明することができる。【００２０】
また本発明は上記構成の照明装置において、前記第三面は、前記第二面に対して平行位置から５０〜８０度傾斜しており、光源から離れるに従って第二面と第三面との間隔が狭くなっていることを特徴としている。この構成によると、第三面の傾きを第二面の垂直方向に近い角度に設定することにより、射出面から射出する照明光を、第二面と垂直に近い方向を高効率に照明することができる。【００２１】
また本発明は上記構成の照明装置において、前記第二反射部は、前記射出部に向けて反射光を反射する部位に、入射した光を所定角度範囲に拡散しながら反射する拡散部を設けていることを特徴としている。この構成によると、第二反射部により所定角度範囲に拡散された光が射出面から射出されるので、照度ムラや色ムラを改善した照明光を射出することができる。また、射出部に近接した部位に拡散部を設けているので、照明光を効率的に射出近傍まで導光することができる。【００２２】
また本発明は上記構成の照明装置において、前記第二面は、前記射出面に向けて反射光を反射する部位に、入射した光を所定角度範囲に拡散しながら反射する拡散部を設けていることを特徴としている。この構成によると、反射面に拡散部を設けた導光体を備えた照明光学系を用いても、所定角度範囲に拡散された光が射出面から射出されるので、照度ムラや色ムラを改善した照明光を射出することができる。【００２３】
また本発明は上記構成の照明装置において、前記第二反射部は、入射した光を所定角度範囲に拡散しながら反射する傾斜面とされることを特徴としている。この構成によると、第二反射部を傾斜させることにより、配光制御角度を拡大できるので、必要な領域を効率的に照明可能な照明装置を実現することができる。【００２４】
また本発明は上記構成の照明装置において、前記照明光学系は、断面Ｔ型の長手方向に前記光源を所定間隔で複数並設し、この長手方向に沿って長寸の射出部を有することを特徴としている。この構成によると、複数の光源を用いて高照度で照明光学系の長手方向に広く照明が可能である。また、繰り返し反射しながら導光する光学経路を有するので、複数並設する光源の配置ピッチが広くても、長手方向の照度ムラを低減して一様に照明することができ、光源の設置数量が少なくてよいので、コストダウンが可能となる。【００２５】
また本発明は上記構成の照明装置において、前記光源は点状光源であることを特徴としている。ここでいう点状光源とは、照明光学系の大きさと比較して、例えば光を水平方向に射出する発光面の上下左右のサイズが共に十分小さい光源をいう。かかる大きさにすることで、特定方向を効率的に照明することができる。【００２６】
また本発明は上記構成の照明装置において、前記点状光源はＬＥＤ光源からなることを特徴としている。この構成によると、高照度で、消費電力が小さく、発熱も小さいＬＥＤ光源を用いて、高効率の照明装置を実現することができる。【００２７】
また本発明は上記構成の照明装置において、前記ＬＥＤ光源は、前記入射面に形成した略Ｖ型断面のＶ溝部に配置されることを特徴としている。この構成によると、Ｖ溝部に配置することで、射出角度の大きなＬＥＤ光源を用いても、光学経路中に効率的に入射することができ、高効率の照明装置を実現することができる。【００２８】
また本発明は上記構成の照明装置において、前記光源は、前記Ｔ型の断面に垂直な方向に延在する発光面を備える光源であることを特徴としている。この構成によると、複数の点状光源を用いたい場合に、このように、Ｔ型の断面に垂直な方向に延在する発光面を備える光源を用いることで、一つの光源の採用で済むので、組付け調整が容易で、コストも安いというメリットを有する。【００２９】
また本発明は上記構成の照明装置において、前記照明装置は板状体の先端部に装着され、当該板状体の両側をそれぞれ照明することを特徴としている。この構成によると、板状体の両側の特定方向を効率的に照明できるコンパクトな照明装置を実現することができる。【００３０】
また本発明は上記構成の照明装置において、前記板状体は棚板であって、該棚板の上下を同時に照明することを特徴としている。この構成によると、ショーケースの棚板の先端に取り付けて、棚板の上下の商品側を広範囲に効率的に照明することができる。
【発明の効果】
【００３１】
本発明によれば、断面がＴ型形状の照明光学系を用いて、第一反射部および第二反射部で反射された第一の光と、第一反射部を介さずに第二反射部で反射された第二の光とが合成された照明光を、第一、第二射出部からそれぞれ射出する構成としたので、所望の指向特性、配光特性を有する高効率な照明が可能となる。そのためにコンパクトな構成であっても、所望の配光特性を有し高効率な照明が可能な照明装置を得ることができる。
【図面の簡単な説明】
【００３２】
【図１】本発明に係る照明装置の第一実施形態例を示す概略断面図である。
【図２】本発明に係る照明装置の第二実施形態例を示す概略断面図である。
【図３】本発明に係る照明装置の第三実施形態例を示す概略断面図である。
【図４】図３に示す照明装置の全体形状を示す斜視図である。
【図５】本発明に係る照明装置の第四実施形態例を示す概略断面図である。
【図６】本発明に係る照明装置の第五実施形態例を示す概略断面図である。
【図７】本発明に係る照明装置の第六実施形態例を示す概略断面図である。
【図８】本発明に係る照明装置の第七実施形態例を示す概略断面図である。
【図９】本発明に係る照明装置の第八実施形態例を示す概略断面図である。
【図１０】本発明に係る照明装置の第九実施形態例を示す概略断面図である。
【図１１Ａ】本発明に係る照明装置の第十実施形態例を示す要部拡大図である。
【図１１Ｂ】第十実施形態例の概略側面図である。
【図１２Ａ】棚板先端に本発明に係る照明装置を取り付けた概略説明図である。
【図１２Ｂ】棚板先端に本発明に係る照明装置を取り付けた概略説明図である。
【図１３】複数段の棚板を有するショーケースに本発明に係る照明装置を取り付けた概略説明図である。
【図１４Ａ】ＬＥＤ光源を密に複数個並べてなる光源の一例を示す上面図である。
【図１４Ｂ】図１４Ａに示す光源の側面図である。
【図１５Ａ】ＬＥＤ光源を密に複数個並べてなる光源の他の例を示す上面図である。
【図１５Ｂ】図１５Ａに示す光源の側面図である。
【図１６】ＬＥＤ光源を密に複数個並べてなる光源を有する導光体を備えた照明装置の一例を示す概略斜視図である。
【図１７】冷陰極管からなる光源を有する導光体を備えた照明装置の一例を示す概略斜視図である。
【発明を実施するための形態】
【００３３】
以下に本発明の実施形態を図面を参照して説明する。また、同一構成部材については同一の符号を用い、詳細な説明は適宜省略する。
【００３４】
〈第一実施形態〉
まず、図１を用いて本発明に係る照明装置の第一実施形態例について説明する。なお、以下の説明においては、説明の簡素化のために、光源は点状光源であるとして説明するが、点状光源以外の光源、例えば、面状光源や線状光源を用いてもよい。図１に示す照明装置１Ａは、点状光源２と、この点状光源２から出射される光を異なる二方向に分岐して導光する二つの光学経路を備えて断面がＴ型とされる照明光学系１０Ａを備えた構成とされる。そのため、この照明光学系１０Ａは、点状光源２から出射される光を入射する入射部１Ａａと、該入射部１Ａａに入射された光を異なる二方向に分岐して導光する第一光学経路１Ａｂ、第二光学経路１Ａｃ、と、分岐され導光された光を射出する第一射出部１Ａｄ、第二射出部１Ａｅを備えている。
【００３５】
また、この照明光学系１０Ａは、入射部１Ａａに近接配置された第一反射部１１Ａと、該入射部１Ａａに対向して配置される第二反射部１２Ａとを備え、第一反射部１１Ａおよび第二反射部１２Ａで反射された第一の光と、第一反射部１１Ａを介さずに第二反射部１２Ａで反射された第二の光とが合成された照明光を、第一、第二の射出部から、それぞれ射出する。
【００３６】
そのために、断面がＴ型形状の照明光学系１０Ａを用いることで、入射部１Ａａより入射され第一反射部１１Ａで少なくとも一度反射した後第二反射部１２Ａで少なくとも一度反射され第一、第二射出部へ導かれる光束と、入射部１Ａａより入射され第一反射部１１Ａで反射することなく第二反射部１２Ａで反射され第一、第二射出部へ導かれる光束と、の二種類の光路を有する光束で照明光を構成することができ、所望の指向特性、配光特性を有する高効率な照明装置を実現することが可能となる。例えば、二つの光束の指向特性を重ねることにより、発散角の大きな点状光源２を用いても、必要な領域のみを効率的に照明可能な照明装置を実現することができる。そのために、コンパクトな構成であっても、所望の配光特性を有し高効率な照明が可能な照明装置を得ることができる。
【００３７】
また、第二反射部１２Ａに対向する第三反射部１３Ａを備え、この第三反射部１３Ａが第二反射部１２Ａから光を受けて再び第二反射部１２Ａに向けて反射し、それから、射出部から射出することで、さらに光路長を長くすることができ、所望の部位を照明する位置に射出部を設けることが可能になる。そのために、必要な領域を効率的に照明可能な照明装置を実現することができる。
【００３８】
点状光源２は、例えばＬＥＤ光源であって、青色ＬＥＤチップと、このＬＥＤチップからの光に励起されて所定波長の励起光を発光する蛍光体と、を組み合わせて白色発光する白色ＬＥＤ光源を用いることで、この照明光学系１０Ａを白色発光する照明装置の光学経路として適用することができる。かかる白色ＬＥＤ光源の大きさとしては、例えば、０．６ｍｍ×１．２ｍｍ程度のものが汎用されている。
【００３９】
ＬＥＤ光源からなる点状光源２が射出する光のうち、第一反射部１１Ａを介さずに第二反射部１２Ａで反射された第一の光は第一射出部１Ａｄから図中の実線で示す矢印ＤＡａ方向に射出され（光路Ａ）、第一反射部１１Ａおよび第二反射部１２Ａで反射された第二の光は第一射出部１Ａｄから図中の破線に示す矢印ＤＢａ方向に射出される（光路Ｂ）。
【００４０】
光路Ｂは、光路Ａと共通の光路の他に、光路Ｂのみに機能する第一反射部１１Ａを含むので、第一反射部１１Ａの傾きや長さを制御することで、射出部での指向性や配光特性を光路Ａと独立に制御することができる。
【００４１】
例えば、図中に示す第一射出部１Ａｄから射出する光路Ａと光路Ｂのように、ほぼ同じ方向に射出するように制御して、光路Ａを通る光束と光路Ｂを通る光束とを重ね合わせることで、照明光の強度を高くして、所望の方向を効率的に照明可能となる。
【００４２】
そのために、発散角の大きな点状光源を用いた場合でも、所望の方向を効率的に照明可能な照明光学系を構成することができる。
【００４３】
〈第二実施形態〉
次に、図２を用いて第二実施形態の照明装置１Ｂについて説明する。この照明装置１Ｂも、点状光源２と、断面がほぼＴ型とされる照明光学系１０Ｂを備えた構成とされ、点状光源２から出射される光を入射する入射部１Ｂａと、該入射部１Ｂａに入射された光を異なる二方向に分岐して導光する第一光学経路１Ｂｂ、第二光学経路１Ｂｃ、と、分岐され導光された光を射出する第一射出部１Ｂｄ、第二射出部１Ｂｅとを備えて，異なる二方向を同時に照明する照明装置である。
【００４４】
ただし、第一反射部１１Ｂを傾斜させて、光路Ａと光路Ｂが異なる方向に射出するように構成した点が異なり、一つの点状光源から異なる二つの配光重心を有する照明を可能にした例である。例えば、第一上反射面１１Ｂａと第一下反射面１１Ｂｂを傾斜させることで、射出部から射出される照明光の配光角度を制御できる。例えば、互いの間隔が光源から遠ざかるに従って狭くなるように傾斜させることで、配光角度を変えることができる。
【００４５】
すなわち、ＬＥＤ光源からなる点状光源２が射出する光のうち、第一反射部１１Ｂを介さずに第二反射部１２Ｂで反射された第一の光は第一射出部１Ｂｄから図中の実線で示す矢印ＤＡｂ方向に射出され（光路Ａｂ）、第一反射部１１Ｂおよび第二反射部１２Ｂで反射された第二の光は第一射出部１Ｂｄから図中の破線に示す矢印ＤＢｂ方向に射出される（光路Ｂｂ）。
【００４６】
上記の構成であれば、入射部１Ｂａに設置する点状光源２から射出された光を図の上下に分岐して導光し、それぞれ広範囲に照射する照明装置１Ｂとなる。
【００４７】
このように、入射部に配置される点状光源２を囲む近接した位置に設けられ、点状光源２から射出された光を反射する第一反射部１１Ｂの傾斜、および、第二反射部１２Ｂの長さと第三反射部１３Ｂの長さにより変化する射出部の傾きなどを変化させて、配光特性を制御することが可能である。
【００４８】
以上、断面Ｔ型の光学経路を介して、点状光源２が射出する光を異なる二つの射出面に導光する照明装置について説明したが、この光学経路を、透光性を有する導光体を用いて形成することも可能である。次に、導光体を備えた照明光学系を有する照明装置について説明する。
【００４９】
〈第三実施形態〉
図３に導光体３Ｃを用いた第三実施形態の照明装置１Ｃを示す。
【００５０】
導光体３Ｃは、点状光源から出射される光が入射する入射面と、反射部となる第二面と、射出部となる第三面とを少なくとも有する。また、この導光体３Ｃは、例えば、棚板の先端に取り付けて、棚の上下を同時に照明する照明装置に好適に適用され、一つの点状光源２が射出する光を異なる二方向に分岐して導光している。このように、棚に陳列した商品を上下の二方向から照明するので、影ができ難く、物体表面を均一に照明可能である。
【００５１】
本実施形態に係る導光体３Ｃは、入射部３１Ｃと第一導光部３２Ｃ（第一光学経路に相当）と第二導光部３３Ｃ（第二光学経路に相当）とを備えて異なる二方向に射出する断面Ｔ型とされ、例えば、屈折率が約１．５の透光性部材（ＰＭＭＡ：アクリル）製からなる。そのために、全反射角は約４２度となる。
【００５２】
断面Ｔ型の軸部に相当する入射部３１Ｃを保持する第一反射板１１Ｃ（第一上反射板１１Ｃａと第一下反射板１１Ｃｂを合わせた総称）を設け、この第一反射板１１Ｃに点状光源２を構成するＬＥＤ光源を搭載するＬＥＤ基板２１を固定する。導光体３Ｃ、第一反射板１１Ｃ、および、ＬＥＤ基板２１は、図面を貫通する方向を長手方向とする長尺部材とされ、ＬＥＤ光源からなる点状光源２が長手方向に複数並設された構成とされる。
【００５３】
入射部３１Ｃは、点状光源２に対向する面にＶ溝状の入射面を備えており、異なる二方向に光束を分岐する第一入射面３１Ｃａと第二入射面３１ＣｂとがＶ溝状に交差している。すなわち、入射面の点状光源２に対向する位置に、略Ｖ型断面の屈折面を設けて光束分岐部を形成している。このような構成であれば、点状光源２が射出する光を、直接受けて異なる二方向に分岐するので、それぞれの射出部（第一射出面３２Ｃａ、第二射出面３３Ｃａ）に効率的に導光することができて好ましい。
【００５４】
点状光源２がＬＥＤ光源であれば、このＬＥＤ光源は、入射面に形成した略Ｖ型断面のＶ溝部に配置されることになる。このように、ＬＥＤ光源をＶ溝部に配置することで、射出角度の大きなＬＥＤ光源を用いても、光学経路中に効率的に入射することができ、高効率の照明装置を実現することができる。
【００５５】
また、入射部３１Ｃに対向する面（第二面）側に第二反射板１２Ｃを取り付け、この第二反射板１２Ｃと対向する位置にある背面部に第三反射板１３Ｃを取り付けていて、この第二反射板１２Ｃと第三反射板１３Ｃとで、導光体３Ｃの第一導光部３２Ｃを構成する胴体部を挟持する。すなわち、第二反射板１２Ｃと第三反射板１３Ｃは、第一光学経路を規定する部材となる。
【００５６】
導光体３Ｃは前述したように屈折率１以上の透明体で構成される。本実施形態では、屈折率が約１．５のＰＭＭＡ製としたが、これ以外の材質からなる導光体でもよく、用途に応じて、ガラス材料、ＰＭＭＡ以外のアクリルやポリカなどの透明樹脂を用いてもよい。
【００５７】
導光体３Ｃと全ての反射板の間は空気層であり、導光体中を導光する光は、導光体３Ｃの屈折率に応じ、全反射条件を満足する場合は、導光体面で全反射し、全反射条件を満足しない場合は、一旦導光体３Ｃから出た後、反射板面で反射し、再び導光体中に戻り、射出面に至るまで導光される。
【００５８】
Ｖ型断面の光束分岐部を形成する第一入射面３１Ｃａと第二入射面３１Ｃｂの交差角度は例えば１２０度である。この交差角度は、点状光源２の発光面サイズや発光角、導光体３Ｃの厚み、照明光の射出方向などにより、９０〜１５０度の範囲で設定される。この光束分岐部を介して、点状光源２から射出された光は、断面Ｖ型の入射面で、直進方向から屈折され、直進方向に対し、異なる二方向に（例えば、上側と下側に向かう光に）分岐され、導光体中を射出面に向かって導光される。
【００５９】
また、図中に、照明光の主な光線を破線で示す。光線Ｌ１は、点状光源２から射出し、第一入射面３１Ｃａで屈折し、第一上反射板１１Ｃａに当らず第二面に到達し、第二面外側の第二反射板１２Ｃで反射された後、第三反射板１３Ｃとの間で繰り返し反射して第一射出面３２Ｃａに導かれ、屈折して射出される。
【００６０】
光線Ｌ２は、点状光源２から射出し、第二入射面３１Ｃｂで屈折し、第一下反射板１１Ｃｂに当らず第二面に到達し、第二面外側の第二反射板１２Ｃで反射された後、下側射出面となる第二射出面３３Ｃａに導かれ、屈折して射出される。
【００６１】
光線Ｌ３は、点状光源２から射出し、第二入射面３１Ｃｂで屈折し、第一下反射板１１Ｃｂで全反射して第二面に到達する。その後、光線Ｌ１と略同様の振る舞いにより第一射出面３２Ｃａに導かれ、屈折して射出される。
【００６２】
光線Ｌ４は、点状光源２から射出し、第一入射面３１Ｃａで屈折し、第一上反射板１１Ｃａで全反射して第二面に到達する。その後、光線Ｌ３と略同様の振る舞いにより第二射出面３３Ｃａに導かれ、屈折して射出される。
【００６３】
そのために、第一上反射板１１Ｃａと第一下反射板１１Ｃｂの間隔および長さを最適に設定することにより、光線Ｌ１と同様の振る舞いをする光束と、光線Ｌ３と同様の振る舞いをする光束の配光特性が、共に所望の照明光配光特性となるように制御することにより、点状光源２から射出された光を無駄なく、効率的に照明光として用いることができ、高効率の明るい照明装置を実現することができる。光線Ｌ２と光線Ｌ４の振る舞いについても同様である。
【００６４】
本実施形態では、光線Ｌ１とＬ３、光線Ｌ２とＬ４が、同様の配光特性を有するように制御したが、全く異なる方向の配光特性を持つように制御することにより、より広範囲に照明する照明装置とすることも可能である。
【００６５】
また、例えば、上側射出面である第一射出面３２Ｃａは、第二反射板１２Ｃを取り付ける第二面に対して所定角度、例えば約２０度傾いている。この傾きにより、第一射出面３２Ｃａに到達した照明光の多くは進行方向から、より上方に向かって屈折され射出される。
【００６６】
上記したように、この第一射出面３２Ｃａの傾斜角度は、第二面に対して平行位置から所定角度、例えば１〜３０度程度、好ましくは１５〜２０度傾斜していることが好ましい。また、光源から離れるに従って第二面と第三面（射出面）との間隔が徐々に狭くなっていることが好ましい。このような構成であれば、第三面の傾きを第二面に略平行で、且つ、光源から射出面先端に向かうに従って厚みが減少するような傾きを持たせることにより、射出面から射出する照明光を第二面に沿った角度で射出することができ、照明光学系の幅が狭くても広範囲を効率的に照明することができる。
【００６７】
また、下側射出面である第二射出面３３Ｃａは、第二反射板１２Ｃを取り付ける第二面に対して所定角度、例えば１０度傾いている。この傾きにより、第二射出面３３Ｃａに到達した照明光の多くは、上方照明よりも、より後ろ側に配光中心を有する照明光として射出される。
【００６８】
上側照明は、射出面近くに被照明物体の面が配置されることが多いため、広範囲に照明することが求められる。一方、下側照明は、照明装置が取り付けられる棚板の一段下の棚板に載置された物体の上部を照明するため、被照明物体と距離があることが多い。そのために、下側照明の配光中心を後ろ側に傾けることにより、棚板の奥まで並べられた物体を上側から照明することが可能となる。すなわち、物体表面を正面から照明すると同時に、上方から奥の方まで照明でき、棚に載置された商品などを容易に観察できる。
【００６９】
また、第二面に取り付ける第二反射板１２Ｃの内面は、拡散特性を有する反射面であることが好ましく、例えば、金属製カバーの内面を白塗装したものを用いるとよい。この拡散度合いは、例えばガウス散乱、拡散角度σが１０〜３０度程度に設定されることが望ましい。拡散角度が大きすぎると、照明光が広角度に発散してしまい、無駄な領域まで照明し照明効率が下がるだけでなく、物体の観察者（例えば、商品の購入者）側へ向かい、物体観察を邪魔するような不要な照明光となる場合もある。
【００７０】
第二反射板１２Ｃを取り付ける導光体３Ｃの第二面も拡散面であることが好ましい。例えば、導光体３Ｃの表面に細かな凹凸を設けることにより拡散面化することができる。また、この拡散度合いも、上記した第二反射板１２Ｃの内面に設ける拡散面と同程度の拡散特性であることが望ましい。
【００７１】
上側射出面および下側射出面からの照明光は、その多くが射出面で屈折する。従って、導光体材料の色分散度合いにより、照明光に色ムラが生じることがある。また、一度射出面に当っても全反射して第二面側に異なる角度で向かい、再度第二面および第二反射板１２Ｃで反射されて射出面から射出する光束も存在する。射出面での全反射回数の違いにより、射出面からの射出方向が異なるため、照度ムラが生じる。この際に、第二反射板１２Ｃ内面と導光体３の第二面を拡散面化することにより、これらの色ムラや照度ムラを改善し、より均一な高品位な照明装置を実現することができる。
【００７２】
すなわち、第二面側に所定の拡散特性を有する拡散部１４を設けることで、所定の角度範囲に拡散され反射された光を射出面に導き、色ムラや照度ムラを低減した照明光を射出することが可能となる。このように、第二面は、射出面に向けて反射光を反射する部位に、入射した光を所定角度範囲に拡散しながら反射する拡散部１４を設けていることが好ましい。このような構成であれば、反射面に拡散部を設けた導光体を備えた照明光学系を用いても、所定角度範囲に拡散された光が射出面から射出されるので、照度ムラや色ムラを改善した照明光を射出することができる。
【００７３】
また、導光体３Ｃの上端面３２Ｃｂに平面部が設けられ、第二反射板１２Ｃの延長面で覆われていてもよい。このような構成であれば、この照明装置１Ｃを棚板の照明装置として用いたとき、観察者の視点よりも下方に配置される照明装置から、照明光が上側に向かって射出されても、観察者がまぶしくならず、容易に観察することができて好ましい。
【００７４】
また、導光体３Ｃの下端面３３Ｃｂに平面部が設けられ、照明光を下側にも射出する構成とされていてもよい。例えば、棚板の先端位置が下段に従って手前に配置される棚の場合には、後方に向けて射出される照明光のみでは、物体の上前面を高品位に照明することができないことがある。そのために、本実施形態のように、下方の直下方向にも照明光を射出することにより、下段をより高品位に照明することができる。
【００７５】
照明装置１Ｃは、例えば、図４に示すように、長尺とされ、長手方向に複数の点状光源２を並設した構成とされる。また、その断面は略Ｔ型であって、その長さは、例えば、装着する棚板の幅程度の長さである。
【００７６】
そのために、棚板の全幅を均一に照明するために、棚板の幅程度の長さのＬＥＤ基板２１を設け、この上に点状光源２となるＬＥＤ光源を所定ピッチで複数個搭載している。ただし、棚幅が広い場合は、複数の基板に分け、それぞれを電気的に接続する構成としてもよい。また、このＬＥＤ光源の設置間隔は、第二反射板１２Ｃの高さ（導光体３Ｃの第二面の高さ）程度の長さに設定されておればよい。
【００７７】
これは、点状光源２から発光して射出面から射出されるまでの光路長よりも短い間隔であれば、隣り合う光源同士の射出光が混ざり合うからである。点状光源２の間隔を広く取ると、点状光源２の設置数量を減らすことができコストダウンできる。
【００７８】
しかし、設置間隔が広くなればなるほど、長手方向の照度ムラができ易くなるため、照明光の光路長よりも短い長さ、例えば、本実施形態のように、第二反射板１２Ｃの高さ程度の間隔であることが好ましい。
【００７９】
また、本実施形態では、断面Ｔ型としているため、光源から射出面に至る光路長は、照明ユニットの幅（厚さ）よりも長くなる。従って、照明ユニットのサイズを上下方向に薄型に設定しても、点状光源２の設置間隔を広く設定することが可能となり、コストダウン化に有利な構成である。
【００８０】
照明ユニットの両サイドは、サイドカバー１５で覆われ、導光体３Ｃの左右両端面から外側に照明光が射出されないことが好ましい。また、サイドカバー１５の内面は反射面とされ、サイドカバー１５に到達した照明光は再度導光体３Ｃ内に戻され、いずれかの反射面で反射した後、射出面から照明光として射出される。
【００８１】
このように、導光体３Ｃにより形成される本実施形態に係る照明光学系１０Ｃは、断面Ｔ型の長手方向に点状光源２を所定間隔で複数並設し、この長手方向に沿って長寸の射出部を有する。そのために、複数の点状光源２を用いて高照度で照明光学系の長手方向に広く照明が可能である。また、繰り返し反射しながら導光する光学経路を有するので、複数並設する点状光源２の配置ピッチが広くても、長手方向の照度ムラを低減して一様に照明することができ、点状光源の設置数量が少なくてよいので、コストダウンが可能となる。
【００８２】
上記した照明光学系は、上下方向に非対称である。また、上側のみに背面反射面（第三反射板１３Ｃ）を有し、光源から射出面までの光路を長く確保している。この背面反射面の後方が、棚板の端面に接するように棚板に固定することにより、照明光学系から射出する光を、効率的に照明対象物に導くことができる。
【００８３】
そのために、点状光源２と導光体３Ｃを備え、棚板の先端に装着される照明装置１Ｃは、点状光源２の光を配光制御して所望の特定方向に明るく効率よく均一に照明することができて、上下に複数段の棚板を有するショーケースに陳列された商品を良好に照明することが可能となる。
【００８４】
なお、この照明装置１Ｃを、より高い照度にするには、点状光源２であるＬＥＤ光源に高い輝度のＬＥＤ光源を用いるか、または、より多くのＬＥＤ光源を設置すればよい。図１４Ａ、１４Ｂに白色光源であるＬＥＤ光源Ｋ１を密に複数個並べてなる光源４０の一例である光源４０Ａを示す。図１４Ａは光源４０Ａの上面図であり、図１４Ｂは光源４０Ａの側面図である。
【００８５】
ＬＥＤ光源Ｋ１は、青色光４３を発する発光中心４１ａを備える青色ＬＥＤ４１上に、青色光４３を所定の変換効率で黄色光４４に変換する蛍光体４２を有してなる。青色光４３は一部が黄色光４４に変換され、残りはＬＥＤ光源Ｋ１を出射するので、青色光４３と黄色光４４とが混じり合うことで白色光が形成される。
【００８６】
蛍光体４２は、青色ＬＥＤ４１の上部全体を覆うように形成される。そのため、ＬＥＤ光源Ｋ１を図１４Ａのように密に配置すると、青色ＬＥＤ４１の発光中心４１ａは離散的に配置されていても、蛍光体４２部分は連続して配置されているように見える。蛍光体４２部分から白色光が出射されるので、ＬＥＤ光源Ｋ１を配列する方向（図ではＸ方向）に延在する発光面を備える光源であるかのように見えることとなる。
【００８７】
かかる光源は線状光源であるということもできるし、線状に長い面光源（ＸＹ面）であるとも言える。このことから、本発明においては、点状光源２の列に替えて、Ｔ字型の断面に垂直な方向に延在する発光面を備える光源を用いてもよいと言える。かかる光源における第一反射部１１Ａ（図１参照）をなす二つの反射面の間の方向（図ではＹ方向）の長さは小さいほど好ましい。なお、点状光源の場合も、二つの反射面の間の方向の長さは小さいほど好ましいことは言うまでもない。
【００８８】
すなわち、ここでいう点状光源とは、照明光学系の大きさと比較して、例えば光を水平方向に射出する発光面の上下左右のサイズが共に十分小さい光源をいう。例えば、第一反射部１１Ａをなす二つの反射面の間の方向の長さに対して、点状光源のその方向の長さが十分小さい（例えば３分の１）光源を言う。かかる大きさにすることで、特定方向を効率的に照明することができる。
【００８９】
点状光源であるＬＥＤを配列する方向に延在する発光面を備える光源の他の例としては、例えば図１５Ａ、１５Ｂに示す光源４０Ｂがある。図１５Ａは光源４０Ｂの上面図、図１５Ｂは光源４０Ｂの側面図である。この光源４０Ｂは、基板２１と、基板２１の上に実装された複数の青色ＬＥＤ４１と、複数の青色ＬＥＤ４１を覆う蛍光体４２とを備えている。基板２１上には、青色ＬＥＤ４１に電力を供給するための配線パターンが形成されており、青色ＬＥＤ４１の一方の電極はその配線パターン上に接触しており、他方の電極へは配線パターンからワイヤボンディングされている。
【００９０】
青色ＬＥＤ４１は電力の供給を受けて、発光面から青色光４３を発光する。青色光４３は、蛍光体４２内を進行するにあたり、その蛍光体４２の特性に応じた変換効率で黄色光４４に変換される。蛍光体４２を出射する光は青色光４３と黄色光４４とが適度に混じることで白色光になり、光源４０Ｂは白色光を出射することとなる。
【００９１】
図１６は、かかる光源４０（４０Ａ、４０Ｂ）と導光体３Ｃを備えた照明装置１Ｃの一例を示す。また、かかる光源４０に相当する他の例としては細線状の冷陰極管がある。かかる光源５０を備えた照明装置１Ｃの変形例を図１７に示す。図１７に示す照明装置１Ｃは、導光体３Ｃに冷陰極管からなる光源５０が実装されてなる。
【００９２】
次に、点状光源２が射出する光を確実に分岐させる光束分岐部を備えた照明装置について、図５および図６を用いて説明する。
【００９３】
〈第四実施形態〉
図５には、導光体の第二面および第二反射板にＶ型断面を有する光束分岐部１６を備えた第四実施形態の照明装置１Ｄを示している。すなわち、光束分岐部１６を備えた導光体３Ｄが照明光学系１０Ｄを形成している例である。この光束分岐部１６以外の構成は、前述した照明装置１Ｃと同様であるので詳述しない。
【００９４】
光束分岐部１６は、第一分岐面１６ａと第二分岐面１６ｂとが所定角度で交差した略Ｖ型断面とされ、第一分岐面１６ａで反射した光を第一導光部３２Ｄを介して第一射出面３２Ｄａに導き、第二分岐面１６ｂで反射した光を第二導光部３３Ｄを介して第二射出面３３Ｄａに導く。
【００９５】
また、この光束分岐部１６を設けるために、第二面にＶ形状の凹部を備えた導光体３Ｄとし、この凹部に合致する断面Ｖ型の凸部を備えた第二反射板１２Ｄを用いた構成としている。このような光束分岐部１６を備えていない状態では、光源から略正面方向に射出された光は、対向する第二反射板と光源部材間を往復し、射出部から射出されるまでの光路長が長くなるため、照明装置の温度上昇の原因となる。また、不要な方向に射出する可能性が高くなり、光利用効率も低下してしまう。
【００９６】
このように、光束分岐部１６を追加することにより、上側および下側の射出面から射出する照明光の配光重心をさらに上方または下方に向けることが可能になり、より広範囲を効率的に照明することができる。そのために、背の高い商品を陳列するために間隔が広くなった棚板でも、商品を視認し易い方向に照明光を射出して、均一に照明することが可能となる。
【００９７】
例えば、点状光源２から射出し、第二入射面３１Ｄｂから入射し、第一下反射板１１Ｄｂで反射して第二面に到達し、第二面外側の第二反射板１２Ｄで反射された後、第三反射板１３Ｄとの間で繰り返し反射して第一射出面３２Ｄａに導かれ、屈折して射出される光線Ｌ１ａと、点状光源２から射出し、第一入射面３１Ｄａから入射し、そのまま第二面に到達し、第二面外側の第二反射板１２Ｄで反射された後、第三反射板１３Ｄとの間で繰り返し反射して第一射出面３２Ｄａに導かれ、屈折して射出される光線Ｌ１ｂとを有する。また、下側からも所定方向に配光制御された光線Ｌ２ａ、Ｌ２ｂが射出される。
【００９８】
また、この光束分岐部１６以外の反射面は前述した照明装置１Ｃと同様に拡散面化されていることが好ましい。例えば、射出面に近接した部位に粗面化された拡散部１４を設ける構成とする。さらに、この光束分岐部１６を鏡面として、拡散部１４に至るまでは全ての光を良好に反射して導光することで、より効率的に照明光の配光制御を行うことが可能となる。
【００９９】
〈第五実施形態〉
図６に第五実施形態の照明装置１Ｅを示す。この照明装置１Ｅは、点状光源２に対向して配置される反射面の、点状光源２に対向する屈曲点１７の上側と下側を共に外側に向けて傾斜させた例であって、第二面が屈曲した導光体３Ｅと屈曲した反射面を形成する第二反射板１２Ｅを備えた構成である。また、この屈曲点１７が光束分岐部となる。
【０１００】
このように、反射面全体を射出部まで傾けることにより、導光される光の進行方向が、反射を繰り返す毎に徐々に広がって行き、最終的に射出される照明光の上下方向の広がり角を大きく確保することができる。
【０１０１】
そのために、この反射面すなわち第二反射板１２Ｆ（第二反射部）は、入射した光を所定角度範囲に拡散しながら反射する傾斜面とされる。このような構成であれば、第二反射部を傾斜させることにより、配光制御角度を拡大できるので、必要な領域を効率的に照明可能な照明装置を実現することができて好ましい。
【０１０２】
また、光源近傍の第一上反射板１１Ｅａと第一下反射板１１Ｅｂ、および、導光体３Ｅの入射部３１Ｅは、光源から離れるに従って間隔が広がるように傾斜している。これにより、光源から射出される光のうち、発光強度の高い法線方向に射出される光束を効率的に上下方向に分岐される光路に導くことができる。
【０１０３】
例えば、点状光源２から射出し、第二入射面３１Ｅｂから入射し、第一下反射板１１Ｅｂで反射して第二面に到達し、第二面外側の第二反射板１２Ｅで反射された後、第三反射板１３Ｅとの間で繰り返し反射して第一射出面３２Ｅａに導かれ、より上向きに屈折して射出される光線Ｌ１ａと、点状光源２から射出し、第一入射面３１Ｅａから入射し、そのまま第二面に到達し、第二面外側の第二反射板１２Ｅで反射された後、第三反射板１３Ｅとの間で繰り返し反射して第一射出面３２Ｅａに導かれ、より下向きに屈折して射出される光線Ｌ１ｂとを有する。また、下側からも所定方向に配光制御された光線Ｌ２ａ、Ｌ２ｂが射出される。
【０１０４】
このように、入射部に光源から離れるに従って間隔が広がるように傾斜した反射面を設けた構成であれば、この傾斜した反射面で反射した光は、その反射角度が小さくなる方向に制御され、上下の射出面から、それぞれ水平方向に近い、より後方を照射する照明光に制御される。これにより、上側照明、下側照明のそれぞれが、より広い範囲を照明することが可能となる。
【０１０５】
上記した導光体３（３Ｃ、３Ｄ、３Ｅ）は、いずれも、入射部と第一導光部と第二導光部とを備える断面Ｔ型の導光体として説明したが、断面Ｔ型の照明光学系に板状の導光体を配設してもよく、このような構成例について図７、図８を用いて説明する。
【０１０６】
〈第六実施形態〉
図７に第六実施形態の照明装置１Ｆを示す。この照明装置１Ｆは、断面Ｔ型の照明光学系に板状の導光体３Ｆを配設した例であって、点状光源２が射出する光が入射する第一面が入射面３Ｆａとなる。また、板状の上側が第一導光部３２Ｆとなり下側が第二導光部３３Ｆとなる。
【０１０７】
入射面３Ｆａから離れた位置にある点状光源２から射出された光は、第一下反射板１１Ｆｂで反射した後、第一導光部３２Ｆの第二反射板１２Ｆと第三反射板１３Ｆで繰り返し反射して第一射出部３２Ｆａから射出される光線Ｌ１ａ、Ｌ１ｂや、直接第二反射板１２Ｆに向けて射出され、その後第三反射板１３Ｆとの間で繰り返し反射して第一射出部３２Ｆａから射出される光線Ｌ１ｃを含む。また、下側の第二射出部３３Ｆａからは、第一上反射板１１Ｆａで反射した後、第一導光部３２Ｆの第二反射板１２Ｆで反射して射出される光線Ｌ２ａ、Ｌ２ｃや、直接第二反射板１２Ｆに向けて射出され、この第二反射板１２Ｆで反射して射出される光線Ｌ２ｂを含む。
【０１０８】
上記した光線Ｌ１ａ〜ｃ、Ｌ２ａ〜ｃ、のように、点状光源２の設置位置や、断面Ｔ型の照明光学系を構成する第一上下反射板や第二、第三反射板、および、射出面の傾斜角度などにより、所望の配光特性を有する照明光を実現することができる。
【０１０９】
上記した照明装置１Ｆは、板状の導光体３Ｆを用いるので、シンプルな導光体構成となり、照明光の配光制御をしながらコストダウンが可能となる。
【０１１０】
〈第七実施形態〉
図８に第七実施形態の照明装置１Ｇを示す。この照明装置１Ｇは、断面Ｔ型の照明光学系に板状の導光体３Ｇを配設した例である。また、この導光体３Ｇは前述した第六実施形態の入射面に光束分岐部となる第一入射面３１Ｇａと第二入射面３１Ｇｂを設けた例であって、点状光源２が射出する光を上下の導光部に効率的に分岐するように構成されている。
【０１１１】
そのために、導光体３Ｇは、断面Ｖ型に交差する第一入射面３１Ｇａと第二入射面３１Ｇｂが形成された入射面３Ｇａと、板状の第一導光部３２Ｇと第二導光部３３Ｇを有する。そして、上側の第一射出部３２Ｇａから、点状光源２から射出され、第一下反射板１１Ｇｂで反射し、第一導光部３２Ｇの第二反射板１２Ｇと第三反射板１３Ｇで繰り返し反射して射出される光線Ｌ１ａや、第一入射面３１Ｇａから入射し、第二反射板１２Ｇと第三反射板１３Ｇで繰り返し反射して射出される光線Ｌ１ｂなどの所定角度に配光制御された照明光が射出される。
【０１１２】
また、下側の第二射出部３３Ｇａからは、点状光源２から射出され、第一上反射板１１Ｇａで反射し、第一導光部３２Ｇの第二反射板１２Ｇで反射して射出される光線Ｌ２ａや、第二入射面３１Ｇｂから入射し、第二反射板１２Ｇで反射して射出される光線Ｌ２ｂなどの所定角度に配光制御された照明光が射出される。
【０１１３】
また、第二反射板１２Ｇの反射面や導光体３Ｇの反射面には、前述した拡散部１４が設けられていることが好ましく、この拡散部１４により、所定の角度範囲に拡散され反射された光を射出面に導き、射出面から所定角度に屈折して射出することで、色ムラや照度ムラを改善した照明光を実現することが可能となる。
【０１１４】
上記した照明装置１Ｇも、板状の導光体３Ｇを用いるので、シンプルな導光体構成となり、安価で、且つ、高効率の照明装置を実現できる。
【０１１５】
また、導光体を用いない照明光学系であっても、光束分岐部を設けて、異なる二方向に良好に分岐させることができる。この光束分岐部を設けた第八、第九実施形態について図９および図１０を用いて説明する。
【０１１６】
〈第八実施形態〉
図９に示す第八実施形態の照明装置１Ｈは、導光体を用いずに反射面のみで構成された照明光学系を有する。また、第二反射板１２Ｈに光束分岐部１６を形成している。
【０１１７】
そのために、点状光源２から射出された光のうち、第一分岐面１６ａに到達した光は上側の第一導光部１Ｈｂに導光され、第二分岐面１６ｂに到達した光は下側の第二導光部１Ｈｃに導光される。
【０１１８】
例えば、点状光源２から射出されてそのまま第一分岐面１６ａに到達し、第三反射板１３Ｈに向けて反射されて、射出部１Ｈｄから射出される光線Ｌ１ａや、点状光源２から射出されてそのまま第一分岐面１６ａに到達し、さらにそのまま射出部１Ｈｄに向けて反射されて射出される光線Ｌ１ｂや、第一上反射板１１Ｈａ、第一下反射板１１Ｈｂで反射して第二反射板１２Ｈに到達して反射された後、射出部１Ｈｄから射出される光線Ｌ１ｃや、第二反射板１２Ｈと第三反射板１３Ｈの間で繰り返し反射して射出される光線Ｌ１ｄなどを有する。また、下側の射出部１Ｈｅからも所定範囲に拡散するように配光制御された光線Ｌ２ａ、Ｌ２ｂ、Ｌ２ｃ、Ｌ２ｄなどが射出される。
【０１１９】
また、第二反射板１２Ｈの反射面には、前述した拡散部１４が設けられていることが好ましく、この拡散部１４により、所定の角度範囲に拡散され反射された光を射出面から所定角度範囲に拡散して射出することで、照度ムラを改善した照明光を実現することが可能となる。
【０１２０】
このように、第二反射部（第二反射板１２Ｈ）は、射出部に向けて反射光を反射する部位に、入射した光を所定角度範囲に拡散しながら反射する拡散部を設けていることが好ましい。このような構成であれば、第二反射部により所定角度範囲に拡散された光が射出面から射出されるので、照度ムラを改善した照明光を射出することができる。また、射出部に近接した部位に拡散部を設けているので、照明光を効率的に射出近傍まで導光することができる。
【０１２１】
また、第一上反射板１１Ｈａ、第一下反射板１１Ｈｂを傾斜させることで、射出部から射出される照明光の配光角度を制御できる。例えば、互いの間隔が光源から遠ざかるに従って狭くなるように傾斜させると、射出部から射出される照明光の配光角度を、平行に配置したときと比較して、小さくなるように制御することができる。
【０１２２】
〈第九実施形態〉
また、照明装置１Ｈの光路中に導光体を配設してもよく、例えば、図１０に示すように、平板状の導光体３Ｋを設置した第九実施形態の照明装置１Ｋとする。
【０１２３】
この構成であれば、上下の射出面から所定角度に屈折した光を射出するので、照明光の配光角度をさらに制御可能となる。また、上下の射出面（第一射出面３２Ｋａ、第二射出面３３Ｋａ）を第二反射板１２Ｋに対して所定角度（例えば、５０度）傾けて、射出される照明光を光源に近づく方向に屈折させることができる。
【０１２４】
このように、射出面（第三面）は、第二面（反射面：第二反射板１２Ｋ）に対して平行位置から５０〜８０度傾斜し、光源から離れるに従って第二面と第三面との間隔が狭くなっていてもよい。このような構成であれば、第三面の傾きを第二面の垂直方向に近い角度に設定することにより、射出面から射出する照明光を、第二面と垂直に近い方向を高効率に照明することができる。
【０１２５】
例えば、点状光源２から射出され、第一上反射板１１Ｋａ、第一下反射板１１Ｋｂで反射して第一分岐面１６ａに到達し、第三上反射板１３Ｋａに向けて反射されて、さらに第二面に戻され、第二面外側の第二反射板１２Ｋで反射された後、第二射出面３２Ｋａから射出される光線Ｌ１ａや、点状光源２から射出されてそのまま第一分岐面１６ａに到達し、第三上反射板１３Ｋａと第二反射板１２Ｋの間で繰り返し反射して射出される光線Ｌ１ｂなどを有する。また、下側の第二射出面３３Ｋａからも所定角度に屈折して射出するように配光制御された光線Ｌ２ａ、Ｌ２ｂなどが射出される。
【０１２６】
また、第一上反射板１１Ｋａ、第一下反射板１１Ｋｂを傾斜させることで、射出される照明光の配光角度を制御できる。例えば、互いの間隔が光源から遠ざかるに従って広くなるように傾斜させると、射出部から射出される照明光の配光角度を、平行に配置したときと比較して、大きくなるように制御することができる。
【０１２７】
上記した構成の照明装置１Ｋを板状体、例えば棚板の先端に装着して用いることで、棚板に載置した物体の所望部位付近を効果的に照明する照明装置を実現することができる。例えば、棚板の先端部領域を照明するのに有効な照明装置を実現できる。
【０１２８】
また、この照明装置１Ｋを棚板以外の板状体に装着して使用することも可能であって、例えば、仕切り壁の上部にこの照明装置Ｇを取り付けることで、仕切り壁の両側領域を効果的に照明可能となる。そのため、照明装置１Ｋを仕切り壁の上部に装着した実施形態について図１１Ａ、図１１Ｂを用いて説明する。
【０１２９】
〈第十実施形態〉
図１１Ａに示すように、この第十実施形態では、照明装置１Ｋを、仕切り壁５Ａの上部に装着して用いている。また、仕切り壁５Ａの上部に形成した収納凹部５Ａａに第一上反射板１１Ｋａ、第一下反射板１１Ｋｂ、および、点状光源２を搭載したＬＥＤ基板２１を収納する構成としている。すなわち、照明装置１Ｋの突起部を嵌合させて保持している。また、照明装置１Ｋの幅は、仕切り壁５Ａの厚みと同程度とされていて、導光体３Ｋの両側の傾斜した射出面から斜め下方に向けて照明光を射出する。
【０１３０】
そのために、図１１Ｂに示すように、仕切り壁５Ａの向かって左側に、予め所定領域に向けて射出するように配光制御された光線Ｌ３ａ、Ｌ３ｂが射出され、向かって右側に、予め所定領域に向けて射出するように配光制御された光線Ｌ４ａ、Ｌ４ｂが射出される。
【０１３１】
照明光の射出方向は、照明光学系の構成により予め規定することができるので、不要な方向に射出せず無駄な光を抑制して高効率の照明装置を実現することができる。また、点状光源２は、紙面の垂直方向に、仕切り壁５Ａの厚みよりも広い間隔で配置されている。このように、本実施形態に係る照明装置１Ｋを用いて板状体（仕切り壁５Ａ）の両側の所定領域を効果的に、また、効率よく照明することが可能となる。
【０１３２】
次に、本実施形態に係る照明装置をショーケースの棚板の先端部に装着して用いた例について、図１２Ａ、図１２Ｂ、および図１３を用いてさらに説明する。
【０１３３】
図１２Ａには、照明装置１Ｃを棚板５Ｂの先端に装着して、この棚板５Ｂの上側と下側の両方に所定角度に配光制御された照明光を射出している状態を示している。また、棚板５Ｂの先端部に取付部材６を用いて照明装置１Ｃを取り付ける。また、棚板５Ｂ上に載置する商品Ｍ１の前方を、支持部材７に固定した、上ガード棒８ａと下ガード棒８ｂを備えるガード体８を用いて支持して、商品Ｍ１の落下を防止している。
【０１３４】
点状光源２から射出される光は、導光体３Ｃの第二反射版１２Ｃと第三反射板１３Ｃとにより反射されながら導光体３Ｃ内を導光して上側の射出面から所定の特定方向に配光制御された光線Ｌ１ａ、Ｌ１ｂ、Ｌ１ｃを含む。また、下側の射出面から、特定方向に配光制御された光線Ｌ２ａ、Ｌ２ｂ、Ｌ２ｃ、Ｌ２ｄなどが射出される。このときに、一部の光（例えば、光線Ｌ２ｂ）を反射面６ａを介して反射させる構成としてもよい。
【０１３５】
ガード体８は、透明樹脂板からなる板状のガード板であってもよいが、ガード板を用いると、照明装置と商品との間にガード板が配置されるので、照明光は、ガード板の表面で反射し商品を照明する光量が少なくなる。また、反射した光が観察者の目に入ると、まぶしくなって商品の観察を妨げてしまう。
【０１３６】
本実施形態のように、棒状のガード体（ガード棒）を用いると、照明光がガード棒により遮られることなく、効率的に商品Ｍ１を照明することができる。また、ガード棒は、反射率が低く、拡散特性の大きな材料で構成されることが好ましい。ガード棒の反射率が高いと、照明光が反射して商品Ｍ１の観察を妨げるからである。
【０１３７】
また、拡散特性が低い場合も、照明光のガード棒における反射光が観察者の目に入ったときに商品観察の妨げになる。ガード棒の断面形状は円形であることが好ましく、円形であれば、ガード棒で拡散反射される照明光をより広範囲に広げ、商品観察の妨げにならないように制御することが可能となる。
【０１３８】
さらに、図１２Ｂに示すように、上ガード棒８ａを前方にずらして配置すると、商品表面に投影されるガード棒の影のコントラストを低くすることができ、より高品位な照明を実現することができる。
【０１３９】
下ガード棒８ｂは商品Ｍ１の位置を規制するために棚板５Ｂの先端近傍に配置し、商品Ｍ１が傾いても落ちない範囲で、上ガード棒８ａを下ガード棒８ｂよりも前方に配置することにより、下ガード棒８ｂで位置を規制された商品Ｍ１から一定の間隔を確保することができる。
【０１４０】
また、異なる二方向を照明可能な本実施形態に係る照明装置は、複数段の棚板を備えるショーケースに好適に用いることができる。
【０１４１】
例えば、図１３に示すように、上側の棚板５Ｃに照明装置１Ｃ１を装着し、下側の棚板５Ｄに照明装置１Ｃ２を装着する。
【０１４２】
この構成であれば、上側の棚板５Ｃに装着した照明装置１Ｃ１が射出する光線Ｌ１１ａにより、棚板５Ｃに載置した商品Ｍ１ａの前面を照明すると共に、下向きに射出する光線Ｌ２１ａにより、棚板５Ｄに載置した商品Ｍ２ａの上部を照明する。また、下側の棚板５Ｄに装着した照明装置１Ｃ２が射出する光線Ｌ１２ａにより、棚板５Ｄに載置した商品Ｍ２ａの前面を照明し、下向きに射出する光線Ｌ２２ａにより、この下の段の棚板に載置された別の商品の上部を照明する。
【０１４３】
このように、一つの光源を用いて、棚板の上側と下側を同時に照明できるので、複数段の棚板に背の高い商品を陳列しているショーケースであっても、商品の前面と上部を効果的に照明して観察容易となって好ましい。
【０１４４】
なお、点状光源２としてチップ型のＬＥＤ光源を用いた実施形態例としたが、その他の点状光源であってもよく、例えば、レンズ付きや砲弾型のＬＥＤ光源を用いてもよい。
【０１４５】
上記したように、本発明に係る照明装置によれば、断面がＴ型形状の照明光学系を用いることで、入射部より入射され第一反射部で少なくとも１度反射した後第二反射部で少なくとも一度反射され第一、第二射出部へ導かれる光束と、入射部より入射され第一反射部で反射することなく第二反射部で反射され第一、第二射出部へ導かれる光束と、の二種類の光路を有する光束で照明光を構成することができ、所望の指向特性、配光特性を有する高効率な照明装置を実現することが可能となる。例えば、二つの光束の指向特性を重ねることにより、発散角の大きな点状光源を用いても、必要な領域のみを効率的に照明可能な照明装置を実現することができる。
【０１４６】
すなわち、本発明に係る照明装置を用いることで、板状体の両側の特定方向を効率的に照明できるコンパクトな照明装置を実現することができる。そのために、コンパクトな構成であっても、所望の配光特性を有し高効率な照明が可能な照明装置を得ることができる。
【０１４７】
また、光路中に導光体を配設することにより、導光体の各面における屈折により照明光を制御可能となるので、より高性能で高効率の照明装置を実現できる。
【産業上の利用可能性】
【０１４８】
そのために、本発明に係る照明装置は、上下に複数の棚板を備える多段式のショーケースに載置する背の高い商品を照明するための照明装置に好適に適用することができる。
【符号の説明】
【０１４９】
１Ａ〜１Ｋ    照明装置
２    点状光源（光源、ＬＥＤ光源）
３Ｃ〜３Ｇ    導光体
５Ａ  仕切り壁
５Ｂ  棚板
１０Ａ〜１０Ｄ  照明光学系
１１、１１Ａ〜１１Ｈ    入射面
１２    反射面
１２Ａａ〜１２Ｈａ  第一反射面
１２Ａｂ〜１２Ｈｂ  第二反射面
１３    射出面
１４    拡散部
Ｌ１、Ｌ１ａ〜Ｌ１ｄ  光線
Ｌ２、Ｌ２ａ〜Ｌ２ｄ  光線
【図１】
2012105314.tif 000003
【図２】
2012105314.tif 000004
【図３】
2012105314.tif 000005
【図４】
2012105314.tif 000006
【図５】
2012105314.tif 000007
【図６】
2012105314.tif 000008
【図７】
2012105314.tif 000009
【図８】
2012105314.tif 000010
【図９】
2012105314.tif 000011
【図１０】
2012105314.tif 000012
【図１１Ａ】
2012105314.tif 000013
【図１１Ｂ】
2012105314.tif 000014
【図１２Ａ】
2012105314.tif 000015
【図１２Ｂ】
2012105314.tif 000016
【図１３】
2012105314.tif 000017
【図１４Ａ】
2012105314.tif 000018
【図１４Ｂ】
2012105314.tif 000019
【図１５Ａ】
2012105314.tif 000020
【図１５Ｂ】
2012105314.tif 000021
【図１６】
2012105314.tif 000022
【図１７】
2012105314.tif 000023
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
光源と、該光源から出射される光を入射する入射部と、該入射部に入射された光を異なる二方向に分岐して導光する第一、第二光学経路と、分岐され導光された光を射出する第一、第二射出部とを備えて断面がＴ型とされる照明光学系を有し、異なる二方向を同時に照明する照明装置であって、
前記照明光学系は、前記入射部に近接配置された第一反射部と、当該入射部に対向して配置される第二反射部とを備え、
前記第一、第二射出部から、前記第一反射部および前記第二反射部で反射された第一の光と、前記第一反射部を介さずに前記第二反射部で反射された第二の光とが合成された照明光をそれぞれ射出すると共に、
前記照明光学系は、前記第二反射部に対向する第三反射部を備え、この第三反射部が前記第二反射部から光を受けて再び前記第二反射部に向けて反射し、それから、前記射出部から光を射出することを特徴とする照明装置。
【請求項２】
前記光源から出射される光を、前記第一、第二射出部に向かう光に分岐する光束分岐部を設けたことを特徴とする請求項１に記載の照明装置。
【請求項３】
前記光束分岐部は、前記第二反射部の前記点状光源に対向する位置に配置され、略Ｖ型の凸反射面から構成されることを特徴とする請求項２に記載の照明装置。
【請求項４】
前記照明光学系は、前記光源から出射される光が入射する入射面と、前記第二反射部に沿う第二面と、前記射出部となる第三面とを有する導光体を備えていることを特徴とする請求項１から３のいずれかに記載の照明装置。
【請求項５】
前記入射面の前記光源に対向する位置に、略Ｖ型断面の屈折面を設けて光束分岐部を形成したことを特徴とする請求項４に記載の照明装置。
【請求項６】
前記第三面は、前記第二面に対して平行位置から１〜３０度傾斜しており、光源から離れるに従って第二面と第三面との間隔が徐々に狭くなっていることを特徴とする請求項４または５に記載の照明装置。
【請求項７】
前記第三面は、前記第二面に対して平行位置から５０〜８０度傾斜しており、光源から離れるに従って第二面と第三面との間隔が狭くなっていることを特徴とする請求項４または５に記載の照明装置。
【請求項８】
前記第二反射部は、前記射出部に向けて反射光を反射する部位に、入射した光を所定角度範囲に拡散しながら反射する拡散部を設けていることを特徴とする請求項１から７のいずれかに記載の照明装置。
【請求項９】
前記第二面は、前記射出面に向けて反射光を反射する部位に、入射した光を所定角度範囲に拡散しながら反射する拡散部を設けていることを特徴とする請求項４から７のいずれかに記載の照明装置。
【請求項１０】
前記第二反射部は、入射した光を所定角度範囲に拡散しながら反射する傾斜面とされることを特徴とする請求項１から９のいずれかに記載の照明装置。
【請求項１１】
前記照明光学系は、断面Ｔ型の長手方向に前記光源を所定間隔で複数並設し、この長手方向に沿って長寸の射出部を有することを特徴とする請求項１から１０のいずれかに記載の照明装置。
【請求項１２】
前記光源は点状光源であることを特徴とする請求項１から１１のいずれかに記載の照明装置。
【請求項１３】
前記点状光源はＬＥＤ光源からなることを特徴とする請求項１２に記載の照明装置。
【請求項１４】
前記ＬＥＤ光源は、前記入射面に形成した略Ｖ型断面のＶ溝部に配置されることを特徴とする請求項１３に記載の照明装置。
【請求項１５】
前記光源は、前記Ｔ型の断面に垂直な方向に延在する発光面を備える光源であることを特徴とする請求項１から１４のいずれかに記載の照明装置。
【請求項１６】
前記照明装置は板状体の先端部に装着され、当該板状体の両側をそれぞれ照明することを特徴とする請求項１から１５のいずれかに記載の照明装置。
【請求項１７】
前記板状体は棚板であって、該棚板の上下を同時に照明することを特徴とする請求項１６に記載の照明装置。
【国際調査報告】
2012105314.tif 000024
2012105314.tif 000025
2012105314.tif 000026
2012105314.tif 000027